(57)【要約】    【課題】  水等で濡れた対象物に付着していた水分を拭き取ってそのまま携帯したり、かばん等に収容することができる携帯用拭具の提供。    【解決手段】  水の浸透が防がれる第１内側シート状部Ｂ１及び第２内側シート状部Ｂ２の表側に、基布に対し多数のパイルが設けられたパイル部を形成し、第１内側シート状部Ｂ１及び第２内側シート状部Ｂ２の裏側の第１外側シート状部Ｑ１及び第２外側シート状部Ｑ２との間に袋状部を形成する。袋状部を内外反転することにより、基布に対し多数のパイルが設けられたパイル部を含む第１内側シート状部Ｂ１及び第２内側シート状部Ｂ２の表側部分を取り込む。【選択図】      図４
2010279451.tif 000002
【特許請求の範囲】
【請求項１】
表側から裏側への水の浸透が防がれるシート状部の表側に多数のパイルを有するパイル部が形成され、裏側に袋状部が形成された携帯用拭具であって、
前記パイル部に多数有する各パイルを形成するパイル形成体は、略円柱形状をなし、繊維製の線条体が、パイル形成体の軸線を中心としてほぼ径方向に放射状をなすように密設され且つ軸線方向に密設されてなり、その略円柱形状外周面は、前記各線条体の先端部により形成されており、
前記袋状部は、その内外を反転させることにより、内外反転した袋状部内に前記パイル部を含む前記表側部分を取り込むことができるものであることを特徴とする携帯用拭具。
【請求項２】
上記パイル形成体が、繊維製の線条体を飾り糸とするモール糸によるループ部が、そのモール糸の芯糸を中心として撚り合わさることにより略円柱形状を形成したものである請求項１記載の携帯用拭具。
【請求項３】
上記パイル形成体における上記線条体が０．０５乃至０．８デニールの非吸水性のフィラメントである請求項１又は２記載の携帯用拭具。
【請求項４】
上記パイル形成体が、０．０５乃至０．８デニールの非吸水性のフィラメントを飾り糸とするモール糸によるループ部が、そのモール糸の芯糸を中心として撚り合わさることにより略円柱形状を形成したものである請求項３記載の携帯用拭具。
【請求項５】
上記非吸水性のフィラメントが、ポリエステル系、ポリアミド系、ポリプロピレン系又はポリエチレン系のフィラメントである請求項３又は４記載の携帯用拭具。
【請求項６】
上記非吸水性のフィラメントの吸水率が、２０℃相対湿度６５％において５％以下である請求項３又は４記載の携帯用拭具。
【発明の詳細な説明】
【技術分野】
【０００１】
本発明は、水等で濡れた対象物に付着していた水分を拭き取ってそのまま携帯したり、かばん等に収容することができる携帯用拭具に関する。
【背景技術】
【０００２】
特開２００３−６４５５５号公報には、水分拭き取り性に優れた合撚複合紡績糸布帛として、単糸繊度が１デシテックス以下の合成繊維マルチフィラメントと紡績糸との合撚合撚複合紡績糸を用いてなる布帛であって、当該布帛の吸水率(％)／吸水速度(秒)が０．５０以上であることを特徴とするものが開示されている。
【０００３】
この発明によれば、水分を拭取る際に出来るだけ繊維屑を拭取り面に残すこと無く、しかも優れた吸水性、保水性を有することにより、水分の絞り回数が少なくて済み、しかも細かな埃をも拭取ることが出来るものとされている。
【０００４】
この布帛は、水分拭き取り性に優れるものであったとしても、水分を拭き取ってそのまま携帯したり、かばん等に収容した場合、衣類やかばん内が濡れてしまうという不都合が生じる。
【先行技術文献】
【特許文献】
【０００５】
【特許文献１】特開２００３−６４５５５号公報
【発明の概要】
【発明が解決しようとする課題】
【０００６】
本発明は、従来技術に存した上記のような課題に鑑み行われたものであって、その目的とするところは、水等で濡れた対象物に付着していた水分を拭き取ってそのまま携帯したり、かばん等に収容することができる携帯用拭具を提供することにある。
【課題を解決するための手段】
【０００７】
上記目的を達成する本発明の携帯用拭具は、表側から裏側への水の浸透が防がれるシート状部の表側に多数のパイルを有するパイル部が形成され、裏側に袋状部が形成された携帯用拭具であって、
前記パイル部に多数有する各パイルを形成するパイル形成体は、略円柱形状をなし、繊維製の線条体が、パイル形成体の軸線を中心としてほぼ径方向に放射状をなすように密設され且つ軸線方向に密設されてなり、その略円柱形状外周面は、前記各線条体の先端部により形成されており、
前記袋状部は、その内外を反転させることにより、内外反転した袋状部内に前記パイル部を含む前記表側部分を取り込むことができるものであることを特徴とする。
【０００８】
この携帯用拭具の表側のパイル部に多数有するパイルを形成するパイル形成体は、略円柱形状をなし、繊維製の線条体（例えば各種合成繊維フィラメント、合成繊維若しくは天然繊維ステープル糸等）が、パイル形成体の軸線を中心としてほぼ径方向に放射状をなすように密設され且つ軸線方向に密設されてなり、その略円柱形状外周面は、前記繊維製の線条体の先端部により形成されている。パイル形成体における繊維製の線条体の密度はパイル形成体の表面部から内方部に向かうほど高くなり、毛管現象により、パイル形成体の内方部に向かって強い吸液力が作用するので、パイルは、繊維製の線条体の先端部が位置する表面部からパイル形成体の内方部に向かって迅速に比較的多量の水（他の成分を含有する水又はその他の液体でもよい）を吸収し得る。
【０００９】
水等で濡れた対象物を表側のパイル部において拭いた場合、パイル部のパイルは、対象物に付着していた水分を吸収して保持する。パイルが吸水性に優れ、表側と裏側を画するシート状部は表側から裏側への水の浸透が防がれるものであるため、袋状部の内外を反転させることにより、内外反転した袋状部内に前記パイル部を含む前記表側部分を取り込むことによって、内外反転した袋状部からの水の漏出や滲出が効果的に防がれ、そのまま携帯したり、かばん等に収容する上で好適である。
【００１０】
上記パイル形成体は、繊維製の線条体を飾り糸とするモール糸によるループ部が、そのモール糸の芯糸を中心として撚り合わさることにより略円柱形状を形成したものとすることができる。
【００１１】
また上記パイル形成体における上記線条体は、０．０５乃至０．８デニールの非吸水性のフィラメントであるものとすることが望ましい。
【００１２】
この場合の携帯用拭具は、表側から裏側への水の浸透が防がれるシート状部の表側に多数のパイルを有するパイル部が形成され、裏側に袋状部が形成された携帯用拭具であって、
前記パイル部に多数有する各パイルを形成するパイル形成体は、略円柱形状をなし、０．０５乃至０．８デニールの非吸水性のフィラメントが、パイル形成体の軸線を中心としてほぼ径方向に放射状をなすように密設され且つ軸線方向に密設されてなり、その略円柱形状外周面は、前記各フィラメントの先端部により形成されており、
前記袋状部は、その内外を反転させることにより、内外反転した袋状部内に前記パイル部を含む前記表側部分を取り込むことができるものである。
【００１３】
この携帯用拭具の表側のパイル部に多数有するパイルを形成するパイル形成体は、略円柱形状をなし、０．０５乃至０．８デニールの極めて細い非吸水性のフィラメントが、パイル形成体の軸線を中心としてほぼ径方向に放射状をなすように密設され且つ軸線方向に密設されてなり、その略円柱形状外周面は、前記フィラメントの先端部により形成されている。パイル形成体におけるフィラメントの密度はパイル形成体の表面部から内方部に向かうほど高くなり、毛管現象により、パイル形成体の内方部に向かって強い吸液力が作用するので、パイルは、フィラメントの先端部が位置する表面部からパイル形成体の内方部に向かって迅速に比較的多量の水（他の成分を含有する水又はその他の液体でもよい）を吸収し得る。また、各パイルを構成するフィラメントが非吸水性であるという材質と、そのフィラメントがパイル形成体の軸線を中心としてほぼ径方向に放射状をなすように密設され且つ軸線方向に密設され、パイルの略円柱形状外周面は各フィラメントの先端部により形成されているという構造との両者よりして、遠心脱水性等の慣性力による脱水性又はその他の脱水性及び脱水後の乾燥性に優れる。
【００１４】
水等で濡れた対象物を表側のパイル部において拭いた場合、パイル部のパイルは、対象物に付着していた水分を吸収して保持する。パイルが吸水性に優れ、表側と裏側を画するシート状部は表側から裏側への水の浸透が防がれるものであるため、袋状部の内外を反転させることにより、内外反転した袋状部内に前記パイル部を含む前記表側部分を取り込むことによって、内外反転した袋状部からの水の漏出や滲出が効果的に防がれ、そのまま携帯したり、かばん等に収容する上で好適である。
【００１５】
上記パイル形成体は、０．０５乃至０．８デニールの非吸水性のフィラメントを飾り糸とするモール糸によるループ部が、そのモール糸の芯糸を中心として撚り合わさることにより略円柱形状を形成したもの（パイル形成糸）とすることができる。
【００１６】
また上記非吸水性のフィラメントは、ポリエステル系、ポリアミド系、ポリプロピレン系又はポリエチレン系のフィラメントであるものとすることができる。
【００１７】
また上記非吸水性のフィラメントは、その吸水率が２０℃相対湿度６５％において５％以下であるものとすることができる。
【発明の効果】
【００１８】
本発明の携帯用拭具によれば、水等で濡れた対象物を表側のパイル部において拭いた場合、パイル部のパイルは、対象物に付着していた水分を吸収して保持する。袋状部の内外を反転させることにより、内外反転した袋状部内に前記パイル部を含む前記表側部分を取り込むことによって、内外反転した袋状部からの水の漏出や滲出が効果的に防がれ、そのまま携帯したり、かばん等に収容する上で好適である。
【図面の簡単な説明】
【００１９】
【図１】模式的断面図である。
【図２】模式的底面図である。
【図３】模式的平面図である。
【図４】収納状態の模式的断面図である。
【図５】パイルが設けられた基布の模式的要部拡大図である。
【図６】パイルの模式的拡大横断面図である。
【図７】モール糸によりパイルを形成する工程の一部を示す模式図である。
【発明を実施するための形態】
【００２０】
本発明の実施の形態を、図面を参照しつつ説明する。
【００２１】
図面は何れも本発明の実施の形態の一例としての携帯用拭具についてのものである。
【００２２】
携帯用拭具Ａは、水の浸透が防がれる第１内側シート状部Ｂ１及び第２内側シート状部Ｂ２の表側（図１における下側）に、基布に対し多数のパイルが設けられたパイル部が形成され、第１内側シート状部Ｂ１及び第２内側シート状部Ｂ２の裏側（図１における上側）に、第１外側シート状部Ｑ１及び第２外側シート状部Ｑ２が縫着されることにより、第１内側シート状部Ｂ１及び第２内側シート状部Ｂ２と第１外側シート状部Ｑ１及び第２外側シート状部Ｑ２の間に袋状部（図１及び図３における右側に開口する袋状部）が形成されてなる。第１内側シート状部Ｂ１と第２内側シート状部Ｂ２は１枚のシートの図１及び図３におけるそれぞれ左右部であり、第１外側シート状部Ｑ１と第２外側シート状部Ｑ２も、１枚のシートの図１及び図３におけるそれぞれ左右部である。
【００２３】
この例では袋状部は第１内側シート状部Ｂ１と第２内側シート状部Ｂ２の裏側の全体にわたるが、必ずしも裏側全体にわたるものであることを要しない。
【００２４】
また、シート状部（第１内側シート状部Ｂ１及び第２内側シート状部Ｂ２）は、表側から裏側への水の浸透が防がれることが必要である（尤も、完全に浸透が防がれることを要するものではない。）が、通常は表側から裏側への水の浸透も防がれるものが用いられる。シート状部は１枚のシートであることを要しない。
【００２５】
袋状部のうち第２内側シート状部Ｂ２と第２外側シート状部Ｑ２により形成される部分（図１及び図３における右側、すなわち開口部側の部分）について、第２内側シート状部Ｂ２を図１における下方左側へ、第２外側シート状部Ｑ２を図１における上方左側へと反転させることにより、図４に示されるように、内外反転した袋状部内に、基布に対し多数のパイルが設けられたパイル部を含む第１内側シート状部Ｂ１及び第２内側シート状部Ｂ２の表側部分を取り込むことができる。
【００２６】
第１内側シート状部Ｂ１と第１外側シート状部Ｑ１の間には、図３における上下、図１における奥と手前に分けて形成された袋状部を有する。開口部から挿入した手指を分けて挿入し得るようにするものである。
【００２７】
図１及び図３に二点鎖線で示すように袋状部の開口部（右側）における第２外側シート状部Ｑ２の内側に小袋状部Ｄを設けておき、図４の状態で左上部に位置する小袋状部Ｄを下方に反転させることにより、図４における内外反転した袋状部の左側の開口部を更に覆蓋することができる。
【００２８】
パイル部を構成する基布には、その全面にわたり多数のパイルＰが密に設けられている。
【００２９】
吸水用の各パイルＰは、略円柱形状をなし、パイルＰの基部は基布Ｓに結合されている。
【００３０】
各パイルＰは、０．３デニールの非吸水性のポリエステルフィラメントＦ（なお、フィラメントを用いずにステープル糸等の繊維製の線条体を用いることもできる）を飾り糸とするモール糸Ｍにより形成されている。すなわち、図７に示すように、基布Ｓに対し、モール糸Ｍによるループ部Ｒを形成した後、ループ部Ｒを構成するモール糸Ｍのうち、ループ部Ｒの一方の基部から端部を構成する部分と他方の基部から端部を構成する部分が、両部分の芯糸Ｃを中心として撚り合わさることにより、略円柱形状をなすパイル形成体（パイル形成糸）によるパイルＰを形成したものである。例えば、強撚モール糸Ｍを用い、基布Ｓに対しモール糸Ｍによるループ部Ｒを形成した後、熱処理（染色工程における熱処理が好ましい）を行うことにより各ループ部Ｒがそのモール糸Ｍの芯糸Ｃを中心として撚り合わさるものとすることができる。
【００３１】
このようにして形成された各パイルＰは、略円柱形状をなし、０．３デニールの非吸水性のフィラメントＦが、パイルＰの軸線を中心としてほぼ径方向に放射状をなすように密設され且つ軸線方向に密設されてなり、パイルＰの略円柱形状外周面は、各フィラメントＦの先端部により形成される。パイルＰの先端部Ｐａは、パイルＰを構成する放射状に配されたフィラメントＦの先端部により形成された略凸曲面状をなす。
【００３２】
パイルＰを形成するパイル形成体におけるフィラメントの密度はパイル形成体の表面部から内方部に向かうほど高くなり、毛管現象により、パイル形成体の内方部に向かって強い吸液力が作用するので、パイルＰは、フィラメントの先端部が位置する表面部からパイル形成体の内方部に向かって迅速に比較的多量の水（他の成分を含有する水又はその他の液体でもよい）を吸収し得る。また、各パイルＰを構成するフィラメントが非吸水性であるという材質と、そのフィラメントがパイル形成体の軸線を中心としてほぼ径方向に放射状をなすように密設され且つ軸線方向に密設され、パイルＰの略円柱形状外周面は各フィラメントの先端部により形成されているという構造との両者よりして、遠心脱水性等の慣性力による脱水性又はその他の脱水性及び脱水後の乾燥性に優れる。
【００３３】
袋状部に手を挿入して水等で濡れた対象物を第１内側シート状部Ｂ１及び第２内側シート状部Ｂ２の表側の基布Ｓに対し多数のパイルＰが設けられたパイル部において拭いた場合、パイルＰは、対象物に付着していた水分を吸収して保持する。パイルＰが吸水性に優れ、表側と裏側を画する第１内側シート状部Ｂ１及び第２内側シート状部Ｂ２は水の浸透が防がれるものであるため、袋状部のうち第２内側シート状部Ｂ２と第２外側シート状部Ｑ２により形成される部分の内外を反転させることにより、内外反転した袋状部内に前記基布Ｓに対し多数のパイルＰが設けられたパイル部を含む前記表側部分を取り込むことによって、内外反転した袋状部からの水の漏出や滲出が効果的に防がれ、そのまま携帯したり、かばん等に収容する上で好適である。
【００３４】
パイルＰの形状は、例えば軸線方向長さが直径の１．５倍乃至１０倍の略円柱形状とすることができる。好ましくは、軸線方向長さが直径の２倍乃至８倍、より好ましくは、軸線方向長さが直径の３倍乃至６倍程度である。パイルＰの軸線方向長さは、例えば５乃至４０ｍｍとすることができる。好ましくは１０乃至３０ｍｍである。なお、パイルＰの直径は軸線方向にほぼ一定であることが好ましいが、必ずしもこれに限るものではない。
【００３５】
吸水用のパイルＰは、０．０５乃至０．８デニールの非吸水性のフィラメントを飾り糸とする２本又は３本以上のモール糸が、そのモール糸の芯糸を中心として撚り合わさることにより略円柱形状を形成したパイル形成糸（パイル形成体）等により形成したループパイルＰとすることもできる。
【００３６】
パイルＰを構成するフィラメントＦは、０．０５乃至０．８デニールであり、好ましくは０．１乃至０．５デニール、好ましくは０．２乃至０．４デニールである。フィラメントＦの材質は、ポリエステル系の他、例えば、ポリアミド系、ポリプロピレン系又はポリエチレン系のフィラメントＦを用いることができる。非吸水性のフィラメントの吸水率は、２０℃相対湿度６５％において５％以下であるものとすることができる。
【００３７】
芯糸Ｃは、吸水性糸および／または非吸水性糸とすることができる。芯糸Ｃの一部若しくは全部として熱融着糸を用いて飾り糸としてのフィラメントＦを融着したモール糸Ｍの場合、フィラメントＦの脱落を確実性高く防ぐことができる。
【００３８】
各パイルＰは同一形状及び同一サイズであるものとすることができるが、形状及びサイズが異なる複数種のパイルＰを備えたものとすることもできる。
【００３９】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【符号の説明】
【００４０】
Ａ      携帯用拭具
Ｂ１    第１内側シート状部
Ｂ２    第２内側シート状部
Ｃ      芯糸
Ｄ      小袋状部
Ｆ      フィラメント
Ｍ      モール糸
Ｐ      パイル
Ｐａ    先端部
Ｑ１    第１外側シート状部
Ｑ２    第２外側シート状部
Ｒ      ループ部
Ｓ      基布
【図１】
2010279451.tif 000003
【図２】
2010279451.tif 000004
【図３】
2010279451.tif 000005
【図４】
2010279451.tif 000006
【図５】
2010279451.tif 000007
【図６】
2010279451.tif 000008
【図７】
2010279451.tif 000009